(57)【要約】【課題】小型化が容易な照明器具を提供する。【解決手段】照明器具１０は、第一発光装置２０と、第二発光装置３０と、第一発光装置２０が載置される第一載置面４１ａを有する第一プレート４１、及び、第二発光装置３０が載置される第二載置面４２ａを有する第二プレート４２を含む本体部と、本体部を壁２００に取り付けるために、本体部と壁２００との間に介在する取付部材７０とを備える。取付部材７０は、構造物と対向する取付面７０ａを有し、第一載置面４１ａ、及び、第二載置面４２ａのそれぞれは、取付面７０ａに対して傾斜している。第一電源装置５０及び第二電源装置６０は、第一プレート４１及び第二プレート４２の間に配置される。【選択図】図７
2019067509.tif 000002
【特許請求の範囲】
【請求項１】
第一発光装置と、
第二発光装置と、
前記第一発光装置が載置される第一載置面を有する第一プレート、及び、前記第二発光装置が載置される第二載置面を有する第二プレートを含む本体部と、
前記第一発光装置に電力を供給する第一電源装置と、
前記第二発光装置に電力を供給する第二電源装置と、
前記本体部を構造物に取り付けるために、前記本体部と前記構造物との間に介在する取付部材とを備え、
前記取付部材は、前記構造物と対向する取付面を有し、
前記第一載置面、及び、前記第二載置面のそれぞれは、前記取付面に対して傾斜し、
前記第一電源装置、及び、前記第二電源装置は、前記第一プレートの前記第一載置面と反対側の面、及び、前記第二プレートの前記第二載置面と反対側の面の間に配置される
照明器具。
【請求項２】
前記第一載置面は、前記第一発光装置が前記構造物と反対側に向けて光を発するように傾斜し、
前記第二載置面は、前記第二発光装置が前記構造物に向けて光を発するように傾斜する
請求項１に記載の照明器具。
【請求項３】
さらに、前記第一発光装置が発する光を透過する第一透光部、前記第二発光装置が発する光を透過する第二透光部、及び、遮光部を含むカバーを備え、
前記第一透光部の外観上の面積は、前記第二透光部の外観上の面積よりも大きい
請求項１または２に記載の照明器具。
【請求項４】
前記カバーは、
前記第一発光装置と対向し、前記第一透光部を含む第一平板部と、
前記第二発光装置と対向し、前記第二透光部及び前記遮光部を含む第二平板部と、
前記第一平板部及び前記第二平板部を接続する、前記遮光部を含む第三平板部とを有し、
前記第二平板部に垂直な方向から見た場合に、前記第二平板部に含まれる前記遮光部は、前記第二発光装置が備える発光素子と重なる
請求項３に記載の照明器具。
【請求項５】
前記本体部は、前記カバーと接触する複数の突起を有する
請求項３または４に記載の照明器具。
【請求項６】
前記照明器具は、長尺状であり、
前記第一プレートには、前記照明器具の長手方向に延在する溝部が含まれ、
前記溝部の前記長手方向の端部には、開口または切り欠きが設けられる
請求項１〜５のいずれか１項に記載の照明器具。
【請求項７】
前記照明器具は、長尺状であり、さらに、前記取付部材の前記本体部側の面に配置された電球を備え、
前記電球の光軸は、前記電球が前記第二プレート側に光を出射するように前記照明器具の長手方向に対して傾斜する
請求項１〜６のいずれか１項に記載の照明器具。
【請求項８】
前記第二プレートには、前記電球が出射する光を通す開口または切り欠きが設けられる
請求項７に記載の照明器具。
【請求項９】
さらに、前記取付部材の前記本体部側の面に配置され、前記電球が出射する光を前記第二プレート側に反射する反射板を備える
請求項７または８に記載の照明器具。
【発明の詳細な説明】
【技術分野】
【０００１】
本発明は、ＬＥＤ（Ｌｉｇｈｔ  Ｅｍｉｔｔｉｎｇ  Ｄｉｏｄｅ）などの発光素子を備える照明器具に関する。
【背景技術】
【０００２】
近年、ＬＥＤを用いた照明器具が急速に普及している。このような照明器具の一例として、特許文献１には、病室または客室の壁に設置される、いわゆるブラケット型の照明器具が開示されている。
【先行技術文献】
【特許文献】
【０００３】
【特許文献１】特開２０１５−２２２６９２号公報
【発明の概要】
【発明が解決しようとする課題】
【０００４】
上記のような照明器具においては、小型化が課題となる。
【０００５】
本発明は、小型化が容易な照明器具を提供する。
【課題を解決するための手段】
【０００６】
本発明の一態様に係る照明器具は、第一発光装置と、第二発光装置と、前記第一発光装置が載置される第一載置面を有する第一プレート、及び、前記第二発光装置が載置される第二載置面を有する第二プレートを含む本体部と、前記第一発光装置に電力を供給する第一電源装置と、前記第二発光装置に電力を供給する第二電源装置と、前記本体部を構造物に取り付けるために、前記本体部と前記構造物との間に介在する取付部材とを備え、前記取付部材は、前記構造物と対向する取付面を有し、前記第一載置面、及び、前記第二載置面のそれぞれは、前記取付面に対して傾斜し、前記第一電源装置、及び、前記第二電源装置は、前記第一プレートの前記第一載置面と反対側の面、及び、前記第二プレートの前記第二載置面と反対側の面の間に配置される。
【発明の効果】
【０００７】
本発明によれば、小型化が容易な照明器具が実現される。
【図面の簡単な説明】
【０００８】
【図１】図１は、実施の形態に係る照明器具の使用例を示す図である。
【図２Ａ】図２Ａは、実施の形態に係る照明器具のベース照明モードを説明するための図である。
【図２Ｂ】図２Ｂは、実施の形態に係る照明器具の読書灯モードを説明するための図である。
【図２Ｃ】図２Ｃは、実施の形態に係る照明器具の常夜灯モードを説明するための図である。
【図３】図３は、実施の形態に係る照明器具を上方から見た場合の外観斜視図である。
【図４】図４は、実施の形態に係る照明器具を上方から見た場合の分解斜視図である。
【図５】図５は、実施の形態に係る照明器具を下方から見た場合の外観斜視図である。
【図６】図６は、実施の形態に係る照明器具を下方から見た場合の分解斜視図である。
【図７】図７は、実施の形態に係る照明器具を長手方向に垂直な平面で切断した場合の模式断面図である。
【図８】図８は、第一プレートが有する溝部の長手方向の端部に設けられた切り欠きを示す図である。
【図９】図９は、取付部材の本体部側の面の構造を示す図である。
【図１０】図１０は、第二プレートに設けられた、電球が出射する光を通す開口を示す図である。
【発明を実施するための形態】
【０００９】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１１】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。Ｙ軸方向は、照明器具の長手方向として説明される。Ｘ軸方向は、照明器具の短手方向（幅方向）として説明される。
【００１２】
（実施の形態）
［照明器具の構成］
まず、実施の形態に係る照明器具の使用例について説明する。図１は、実施の形態に係る照明器具の使用例を示す図である。
【００１３】
図１に示されるように、実施の形態に係る照明器具１０は、長尺状の照明器具である。照明器具１０は、具体的には、角柱状である。照明器具１０は、例えば、病室の壁２００に取り付けられる。病室の壁２００は、構造物の一例である。病室の壁２００に取り付けられた照明器具１０は、病室のベッドに横たわるユーザの頭上に位置する。
【００１４】
照明器具１０は、３種類の発光モードの動作が可能である。図２Ａ〜図２Ｃは、照明器具１０の発光モードを説明するための図である。
【００１５】
図２Ａに示されるベース照明モードの動作において、照明器具１０は、照明器具１０の上方、かつ、壁２００と反対側に向かって光を発する。これにより、照明器具１０は、病室内を照らすことができる。
【００１６】
図２Ｂに示される読書灯モードの動作において、照明器具１０は、照明器具１０の下方、かつ、壁２００に向かって光を発する。これにより、照明器具１０は、間接的にユーザの頭部周辺を照らすことができる。
【００１７】
図２Ｃに示される常夜灯モードの動作において、照明器具１０は、照明器具１０が備える電球を発光させる。常夜灯モードは、例えば、夜間に使用される。
【００１８】
以下、このような照明器具１０の詳細な構成について説明する。図３は、照明器具１０を上方から見た場合の外観斜視図である。図４は、照明器具１０を上方から見た場合の分解斜視図である。図５は、照明器具１０を下方から見た場合の外観斜視図である。図６は、照明器具１０を下方から見た場合の分解斜視図である。図７は、照明器具１０を長手方向に垂直な平面で切断した場合の模式断面図である。
【００１９】
照明器具１０は、主として、複数の第一発光装置２０と、複数の第二発光装置３０と、本体部４０と、第一電源装置５０と、第二電源装置６０と、取付部材７０と、電球７５と、カバー８０と、エンドカバー９０ａと、エンドカバー９０ｂとを備える。以下、照明器具１０の各構成要素について説明する。
【００２０】
［第一発光装置］
第一発光装置２０は、上記ベース照明モードの動作中に発光する。第一発光装置２０は、ＳＭＤ（Ｓｕｒｆａｃｅ  Ｍｏｕｎｔ  Ｄｅｖｉｃｅ）構造の発光装置である。照明器具１０は、複数の第一発光装置２０を備え、複数の第一発光装置２０は、本体部４０が有する第一プレート４１の第一載置面４１ａに、照明器具１０の長手方向に並んで配置される。第一発光装置２０は、長尺状であり、第一発光装置２０の長手方向が照明器具１０の長手方向に沿うように配置される。複数の第一発光装置２０は、主としてカバー８０が有する第一平板部８１に含まれる第一透光部Ｔ１（図７に図示）に向けて光を発する。なお、照明器具１０は、第一発光装置２０を少なくとも１つ備えればよい。
【００２１】
第一発光装置２０は、具体的には、基板２１と、複数のＬＥＤ素子２２とを備える。第一発光装置２０は、ＬＥＤ素子２２を少なくとも１つ備えればよい。
【００２２】
基板２１は、Ｙ軸方向を長手方向とする長尺状の平板である。基板２１を当該基板２１の主面に垂直な方向から見た形状は、矩形状であるが、その他の形状であってもよい。
【００２３】
基板２１は、例えば、樹脂材料を基材とするＣＥＭ−３（Ｃｏｍｐｏｓｉｔｅ  Ｅｐｏｘｙ  Ｍａｔｅｒｉａｌ−３）基板であるが、その他の樹脂基板であってもよいし、金属材料を基材するメタルベース基板またはセラミック材料を基材とするセラミック基板であってもよい。その他の樹脂基板としては、ＦＲ−４（Ｆｌａｍｅ  Ｒｅｔａｒｄａｎｔ−４）基板が例示される。セラミック基板としては、酸化アルミニウム（アルミナ）からなるアルミナ基板または窒化アルミニウムからなる窒化アルミニウム基板等が例示される。また、メタルベース基板としては、アルミニウム合金基板、鉄合金基板、または銅合金基板等が例示される。
【００２４】
また、基板２１は、リジッド基板に限定されない。基板２１は、ポリイミド等を基材とするフレキシブル基板であってもよい。
【００２５】
ＬＥＤ素子２２は、ＳＭＤ型の発光素子であり、白色光を発する。ＬＥＤ素子２２は、凹部を有するパッケージと、パッケージの凹部底面に実装されたＬＥＤチップと、パッケージの凹部に充填され、ＬＥＤチップを封止する封止部材とを有する。ＬＥＤチップは、例えば、青色光を発する青色ＬＥＤチップであり、封止部材は、例えば、波長変換材料としてイットリウム・アルミニウム・ガーネット（ＹＡＧ）系の黄色蛍光体粒子を含むシリコーン樹脂である。また、ＬＥＤ素子２２は、ＬＥＤ素子２２を基板２１に実装するための金属端子を有する。
【００２６】
複数のＬＥＤ素子２２は、基板２１の主面に配置され、第一電源装置５０から供給される電力を用いて発光する。複数のＬＥＤ素子２２は、具体的には、基板２１の長手方向に沿って直線状に並んで配置され、発光素子列を構成する。発光素子列は、基板２１のＸ軸＋側寄りに位置する。複数のＬＥＤ素子２２は、例えば、等間隔に配置される。複数のＬＥＤ素子２２は、主としてカバー８０が有する第一平板部８１に含まれる第一透光部Ｔ１（図７に図示）に向けて光を発する。
【００２７】
複数のＬＥＤ素子２２は、例えば、基板２１の配線層に含まれる配線パターンによって直列接続される。なお、複数のＬＥＤ素子２２の電気的な接続態様（具体的には、直列接続、並列接続、及び、直列接続と並列接続との組み合わせの接続等）は特に限定されるものではない。
【００２８】
［第二発光装置］
第二発光装置３０は、上記読書灯モードの動作中に発光する。第二発光装置３０は、第一発光装置２０と同様に、ＳＭＤ構造の発光装置である。第二発光装置３０は、具体的には、基板３１と、複数のＬＥＤ素子３２とを備える。第二発光装置３０は、ＬＥＤ素子３２を少なくとも１つ備えればよい。
【００２９】
第二発光装置３０は、上記読書灯モードの動作中に発光する。第二発光装置３０は、ＳＭＤ構造の発光装置である。照明器具１０は、複数の第二発光装置３０を備え、複数の第二発光装置３０は、本体部４０が有する第二プレート４２の第二載置面４２ａに、照明器具１０の長手方向に並んで配置される。第二発光装置３０は、長尺状であり、第二発光装置３０の長手方向が照明器具１０の長手方向に沿うように配置される。複数の第二発光装置３０は、主としてカバー８０が有する第二平板部８２に含まれる第二透光部Ｔ２（図７に図示）に向けて光を発する。なお、照明器具１０は、第二発光装置３０を少なくとも１つ備えればよい。
【００３０】
第二発光装置３０は、具体的には、基板３１と、複数のＬＥＤ素子３２とを備える。第二発光装置３０は、ＬＥＤ素子３２を少なくとも１つ備えればよい。
【００３１】
基板３１は、Ｙ軸方向を長手方向とする長尺状の平板である。基板３１を当該基板３１の主面に垂直な方向から見た形状は、矩形状であるが、その他の形状であってもよい。
【００３２】
基板３１は、例えば、樹脂材料を基材とするＣＥＭ−３基板であるが、その他の樹脂基板であってもよいし、金属材料を基材するメタルベース基板またはセラミック材料を基材とするセラミック基板であってもよい。その他の樹脂基板としては、ＦＲ−４基板が例示される。セラミック基板としては、酸化アルミニウム（アルミナ）からなるアルミナ基板または窒化アルミニウムからなる窒化アルミニウム基板等が例示される。また、メタルベース基板としては、アルミニウム合金基板、鉄合金基板、または銅合金基板等が例示される。
【００３３】
また、基板３１は、リジッド基板に限定されない。基板３１は、ポリイミド等を基材とするフレキシブル基板であってもよい。
【００３４】
ＬＥＤ素子３２は、ＳＭＤ型の発光素子であり、白色光を発する。ＬＥＤ素子３２は、凹部を有するパッケージと、パッケージの凹部底面に実装されたＬＥＤチップと、パッケージの凹部に充填され、ＬＥＤチップを封止する封止部材とを有する。ＬＥＤチップは、例えば、青色光を発する青色ＬＥＤチップであり、封止部材は、例えば、波長変換材料としてイットリウム・アルミニウム・ガーネット（ＹＡＧ）系の黄色蛍光体粒子を含むシリコーン樹脂である。また、ＬＥＤ素子３２は、ＬＥＤ素子３２を基板３１に実装するための金属端子を有する。
【００３５】
複数のＬＥＤ素子３２は、基板３１の主面に配置され、第一電源装置５０から供給される電力を用いて発光する。複数のＬＥＤ素子３２は、具体的には、基板３１の長手方向に沿って直線状に並んで配置され、発光素子列を構成する。発光素子列は、基板３１のＸ軸＋側寄りに位置する。複数のＬＥＤ素子３２は、例えば、等間隔に配置される。複数のＬＥＤ素子３２は、主としてカバー８０が有する第二平板部８２の第二透光部Ｔ２（図７に図示）に向けて光を発する。
【００３６】
複数のＬＥＤ素子３２は、例えば、基板３１の配線層に含まれる配線パターンによって直列接続される。なお、複数のＬＥＤ素子３２の電気的な接続態様（具体的には、直列接続、並列接続、及び、直列接続と並列接続との組み合わせの接続等）は特に限定されるものではない。
【００３７】
［本体部］
本体部４０は、複数の第一発光装置２０、複数の第二発光装置３０、第一電源装置５０、第二電源装置６０、及び、カバー８０等の構成要素を一体的に保持する部材である。本体部４０は、具体的には、第一プレート４１、第二プレート４２、第一電源保持プレート４３、及び、第二電源保持プレート（図示せず）を含む。
【００３８】
［本体部：第一プレート］
第一プレート４１は、照明器具１０の長手方向に沿って延在する長尺状のプレートである。第一プレート４１には、複数の第一発光装置２０、取付部材７０、及び、カバー８０などがネジ止めされる。
【００３９】
第一プレート４１は、例えば、ＳＰＣＣなどの鋼板の折り曲げ加工によって形成される。図７に示されるように、第一プレート４１は、カバー８０の第一平板部８１に沿う部分と、カバー８０の第三平板部８３に沿う部分とを含む。カバー８０の第一平板部８１に沿う部分には、照明器具１０の長手方向に延在する断面Ｖ字状の溝部が上記折り曲げ加工によって形成されている。
【００４０】
第一プレート４１は、第一載置面４１ａを有する。第一載置面４１ａは、照明器具１０の長手方向に沿って延在する略長尺矩形状の面である。第一載置面４１ａは、上記断面Ｖ字状の溝部の一部を構成する。第一載置面４１ａには、複数の第一発光装置２０が照明器具１０の長手方向に並んで載置される。なお、第一発光装置２０と第一載置面４１ａの間には、放熱シートまたは絶縁シートが配置されてもよい。
【００４１】
第一載置面４１ａは、断面Ｖ字状の溝部の一部を構成する傾斜面である。第一載置面４１ａは、取付面７０ａに対して傾斜しており、取付面７０ａに対して垂直でも平行でもない。第一載置面４１ａは、より具体的には、第一発光装置２０が壁２００と反対側に向けて光を発するように傾斜している。これにより、照明器具１０は、ベース照明モードの動作中にユーザの上方の空間を強い光強度の直接光により照らすことができる。
【００４２】
第一プレート４１は、白色に塗装されている。これにより、第一発光装置２０が発する光が第一プレート４１において反射され、光の利用効率が高められる。
【００４３】
また、第一プレート４１は、複数の突起４１ｂを有する。複数の突起４１ｂは、第一プレート４１のうち第一平板部８１と平行な面に長手方向に並んで配置される。複数の突起４１ｂは、第一平板部８１（つまり、カバー８０）に接触する。このように、第一プレート４１とカバー８０とが点接触すれば、第一プレート４１またはカバー８０が熱膨張した場合に第一プレート４１及びカバー８０の接触により生じる異音が抑制される。
【００４４】
複数の突起４１ｂのそれぞれは、例えば、第一プレート４１がプレス加工されることによって形成されるが、別体の突起が接着または溶着されることによって形成されてもよい。
【００４５】
ところで、上記断面Ｖ字状の溝部の長手方向の端部には、切り欠きが設けられる。図８は、第一プレート４１が有する溝部の長手方向の端部に設けられた切り欠き４５を示す図である。図８では、カバー８０の図示が省略されている。
【００４６】
切り欠き４５は、より具体的には、溝部の長手方向の端部かつ底部に設けられている。このような切り欠き４５によれば、第一プレート４１とカバー８０との間に虫の死骸などの異物が入り込んだ場合に、照明器具１０を分解せずに本体部４０を傾けることで異物を切り欠き４５を通じて本体部４０の内側に落とすことができる。したがって、照明器具１０を分解することができない一般ユーザが第一発光装置２０の周辺から異物を容易に取り除くことができる。なお、溝部の長手方向の端部には、切り欠き４５に代えて開口が設けられてもよい。また、後述の第二プレート４２の溝部の長手方向の端部には、このような切り欠きは設けられていないが、第二プレート４２の溝部の長手方向の端部にも切り欠きまたは開口が設けられてもよい。
【００４７】
［本体部：第二プレート］
第二プレート４２は、照明器具１０の長手方向に沿って延在する長尺状のプレートである。第二プレート４２には、複数の第二発光装置３０などがネジ止めされる。
【００４８】
第二プレート４２は、例えば、ＳＰＣＣなどの鋼板の折り曲げ加工によって形成される。図７に示されるように、第二プレート４２は、カバー８０の第二平板部８２に沿う部分と、カバー８０の第三平板部８３に沿う部分とを含む。カバー８０の第二平板部８２に沿う部分には、照明器具１０の長手方向に延在する断面Ｖ字状の溝部が上記折り曲げ加工によって形成されている。
【００４９】
第二プレート４２は、第二載置面４２ａを有する。第二載置面４２ａは、照明器具１０の長手方向に沿って延在する略長尺矩形状の面である。第二載置面４２ａは、上記断面Ｖ字状の溝部の側面を構成する。第二載置面４２ａには、複数の第一発光装置２０が照明器具１０の長手方向に並んで配置される。なお、第二発光装置３０と第二載置面４２ａの間には、放熱シートまたは絶縁シートが配置されてもよい。
【００５０】
第二載置面４２ａは、断面Ｖ字状の溝部の一部を構成する傾斜面である。第二載置面４２ａは、取付面７０ａに対して傾斜しており、取付面７０ａに対して垂直でも平行でもない。第二載置面４２ａは、より具体的には、第二発光装置３０が壁２００に向けて光を発するように傾斜する。これにより、照明器具１０は、読書灯モードの動作中にユーザの周辺を光強度のやわらいだ間接光により照らすことができる。
【００５１】
第二プレート４２は、白色に塗装されている。これにより、第二発光装置３０が発する光が第二プレート４２において反射され、光の利用効率が高められる。
【００５２】
また、第二プレート４２は、複数の突起４２ｂを有する。複数の突起４２ｂは、第二プレート４２のうち第二平板部８２と平行な面に長手方向に並んで配置される。複数の突起４２ｂは、第二平板部８２（つまり、カバー８０）に接触する。このように、第二プレート４２とカバー８０とが点接触すれば、第二プレート４２またはカバー８０が熱膨張した場合に第二プレート４２及びカバー８０の接触により生じる異音が抑制される。
【００５３】
複数の突起４２ｂのそれぞれは、例えば、第二プレート４２がプレス加工されることによって形成されるが、別体の突起が接着または溶着されることによって形成されてもよい。
【００５４】
以上説明した第一プレート４１及び第二プレート４２は、例えば、第一プレート４１及び第二プレート４２の一方に切り起こし形成されたＬ字状の突起が、第一プレート４１及び第二プレート４２の他方に形成された開口にスライド挿入されることにより接続される。なお、第一プレート４１及び第二プレート４２は、一枚の金属板の折り曲げ加工によって一体形成されていてもよい。
【００５５】
［本体部：第一電源保持プレート］
第一電源保持プレート４３（図７に図示）は、第一電源装置５０を保持する、照明器具１０の長手方向に沿って延在する長尺状のプレートである。第一電源保持プレート４３の断面形状は、Ｖ字状である。第一電源保持プレート４３には、第一電源装置５０がネジ止めされる。第一電源保持プレート４３は、例えば、ＳＰＣＣなどの鋼板の折り曲げ加工によって形成される。第一電源保持プレート４３は、第一プレート４１の内側の面にネジ止めされるが、第二プレート４２にネジ止めされてもよい。
【００５６】
なお、図示されないが、第一プレート４１の内側の面には、第二電源装置６０を保持する第二電源保持プレートもネジ止めされる。第二電源装置６０を保持する第二電源保持プレートは、第一電源保持プレート４３と同様の構成である。
【００５７】
［第一電源装置］
第一電源装置５０は、第一発光装置２０に電力を供給する装置である。第一電源装置５０は、具体的には、電源ケーブル（図示せず）を介して得られる交流電力を第一発光装置２０が有する複数のＬＥＤ素子２２の発光に適した電力に変換し、変換された後の電力を複数のＬＥＤ素子２２に供給する。この結果、複数のＬＥＤ素子２２は、第一電源装置５０から供給された電力を用いて発光する。
【００５８】
第一電源装置５０の外形は、照明器具１０の長手方向に延在する長尺状であり、第一電源保持プレート４３にネジ止めされる。第一電源装置５０は、第一電源保持プレート４３によって第一プレート４１及び第二プレート４２の間に保持される。より具体的には、第一電源装置５０は、第一プレート４１の第一載置面４１ａと反対側の面、及び、第二プレート４２の第二載置面４２ａと反対側の面の間に配置される。第一プレート４１の第一載置面４１ａと反対側の面は、言い換えれば、第一プレート４１の下面であり、第二プレート４２の第二載置面４２ａと反対側の面は、言い換えれば、第二プレート４２の上面である。
【００５９】
これにより、照明器具１０は、第一電源装置５０が本体部４０の外側に配置される照明器具よりも容易に小型化が可能である。小型化が容易な照明器具１０が実現される。なお、第一電源装置５０は、第二電源装置６０よりもＹ軸−側寄りに位置する。
【００６０】
第一電源装置５０は、具体的には、例えば、交流電力を直流電力に変換する回路を備える。当該回路を構成する複数の回路素子には、例えば、電解コンデンサもしくはセラミックコンデンサ等の容量素子、抵抗器等の抵抗素子、整流素子、ヒューズ、ノイズフィルタ、ダイオード、及び、集積回路素子等の半導体素子等が含まれる。交流電力を直流電力に変換する回路は、例えば、スイッチング電源回路である。
【００６１】
［第二電源装置］
第二電源装置６０は、第二発光装置３０に電力を供給する装置である。第二電源装置６０は、具体的には、電源ケーブル（図示せず）を介して得られる交流電力を第二発光装置３０が有する複数のＬＥＤ素子３２の発光に適した電力に変換し、変換された後の電力を複数のＬＥＤ素子３２に供給する。この結果、複数のＬＥＤ素子３２は、第二電源装置６０から供給された電力を用いて発光する。
【００６２】
第二電源装置６０は、第一電源装置５０と同様の構造を有する。第二電源装置６０の外形は、照明器具１０の長手方向に延在する長尺状であり、第二電源装置６０用の第二電源保持プレートにネジ止めされる。第一電源装置５０と同様に、第二電源装置６０は、第二電源保持プレートによって第一プレート４１及び第二プレート４２の間に保持される。より具体的には、第二電源装置６０は、第一プレート４１の第一載置面４１ａと反対側の面、及び、第二プレート４２の第二載置面４２ａと反対側の面の間に配置される。
【００６３】
これにより、照明器具１０は、第二電源装置６０が本体部４０の外側に配置される照明器具よりも容易に小型化が可能である。なお、第二電源装置６０は、第一電源装置５０よりもＹ軸＋側寄りに位置する。
【００６４】
第二電源装置６０は、具体的には、例えば、交流電力を直流電力に変換する回路を備える。当該回路を構成する複数の回路素子には、例えば、電解コンデンサもしくはセラミックコンデンサ等の容量素子、抵抗器等の抵抗素子、整流素子、ヒューズ、ノイズフィルタ、ダイオード、及び、集積回路素子等の半導体素子等が含まれる。交流電力を直流電力に変換する回路は、例えば、スイッチング電源回路である。
【００６５】
［取付部材］
取付部材７０は、照明器具１０の本体部４０を天井または壁等の構造物に取り付けるための板状の部材である。取付部材７０は、言い換えれば、取付板である。照明器具１０を壁２００に取り付ける際には、取付部材７０が先に壁２００にネジ止めされた後、取付部材７０に、本体部４０が取り付けられる。この結果、取付部材７０は、本体部４０と壁２００との間に介在する。取付部材７０及び本体部４０は、例えば、ネジ止めされる。取付部材７０は、壁２００と対向する取付面７０ａを有する。
【００６６】
取付部材７０は、長尺状の板材であり、例えば、ＳＰＣＣなどの鋼板の折り曲げ加工によって形成される。取付部材７０をＸ軸に平行な方向から見た形状は、矩形状であり、取付部材７０のＹ軸方向の長さは、本体部４０のＹ軸方向の長さとほぼ同じである。
【００６７】
取付部材７０の本体部４０側の面には、電球７５が配置される。図９は、取付部材７０の本体部４０側の面の構造を示す図である。本体部４０側の面は、言い換えれば、取付面７０ａと反対側の面である。
【００６８】
電球７５は、いわゆる豆球である。電球７５は、常夜灯モードの動作中に電球色の白色光を発する。電球７５は、例えば、ＬＥＤ電球であるが、白熱電球などであってもよい。
【００６９】
電球７５は主としてＺ軸−側（つまり、下方）を照らす。ここで、照明器具１０においては、Ｚ軸方向における長さを短くすることにより小型化が図られており、電球７５がＺ軸−側に向けて光を発するように、光軸がＺ軸方向に平行になるように電球７５を配置することができない。そこで、電球７５の光軸は、電球７５が第二プレート４２側（つまり、Ｚ軸−側）に光を出射するように照明器具１０の長手方向に対して傾斜する。これにより、電球７５が、光軸が長手方向に平行になるように配置される場合よりも、第二プレート４２側に出射される光量を増やすことができる。つまり、電球７５が発する光の利用効率を高めることができる。
【００７０】
また、取付部材７０の本体部４０側の面には、電球７５が出射する光を第二プレート４２側に反射する反射板７６が配置される。反射板７６は、電球７５よりもＺ軸＋側に位置する。反射板７６は、当該反射板７６の反射面が電球７５に対向し、かつ、当該反射面が電球７５の光軸と対向するように配置される。反射板７６は、例えば、ＳＰＣＣなどの鋼板の折り曲げ加工によって形成される。反射板７６は、白色に塗装され、光反射性が高められている。反射板７６によれば、Ｚ軸−側（つまり、第二プレート４２側）に出射される光量を増やすことができる。
【００７１】
なお、電球７５が発する光を遮らないように、第二プレート４２の電球７５と対向する部分には、電球７５が出射する光を通す開口４２ｃが設けられる。図１０は、第二プレート４２に設けられた電球７５が出射する光を通す開口４２ｃを示す図である。
【００７２】
開口４２ｃは、例えば、レーストラック状の長穴であるが、開口４２ｃの形状は特に限定されない。また、第二プレート４２の電球７５と対向する部分には、開口４２ｃに代えて切り欠きが設けられてもよい。
【００７３】
［カバー］
カバー８０は、複数の第一発光装置２０、及び、複数の第二発光装置３０を覆う。カバー８０は、複数の第一発光装置２０と対向する第一平板部８１と、複数の第二発光装置３０と対向する第二平板部８２と、第一平板部８１及び第二平板部８２を接続する、第三平板部８３とを有する。第一平板部８１、第二平板部８２、及び、第三平板部８３のそれぞれは、略長尺矩形状である。カバー８０の断面形状は、角型括弧状である。
【００７４】
カバー８０には、透光部及び遮光部が含まれる。透光部は、図３〜図６においてハッチングされた部分である。また、図７では、透光部は符号を用いて第一透光部Ｔ１及び第二透光部Ｔ２に区別して図示され、カバー８０のうち第一透光部Ｔ１及び第二透光部Ｔ２以外の部分は遮光部である。第一平板部８１は、複数の第一発光装置２０が発する光を透過する第一透光部Ｔ１を含み、第二平板部８２は、複数の第二発光装置３０が発する光を透過する第二透光部Ｔ２を含み、第三平板部８３は、透光部を含まない。
【００７５】
ここで、第一透光部Ｔ１の外観上の面積は、第二透光部Ｔ２の外観上の面積よりも大きい。これにより、ベース照明モードの動作中において、複数の第一発光装置２０が発する光は、比較的大きい第一透光部Ｔ１を透過して空間の広い範囲を照らすることができる。一方で、読書灯モードの動作中において、複数の第二発光装置３０が発する光は、比較的小さい第二透光部Ｔ２を透過してユーザの周辺部のみを照らすことができる。なお、常夜灯モードの動作中において、電球７５が発する光は第二透光部Ｔ２を透過する。
【００７６】
ところで、図７に模式的に示されるように、第二平板部８２に垂直な方向から見た場合に、第二平板部８２に含まれる遮光部（第二透光部Ｔ２以外の部分）は、第二発光装置３０が備えるＬＥＤ素子３２と重なる。上述のように、複数の第二発光装置３０は、読書灯モードの動作中にユーザの頭上からユーザに向かって光を発するが、ＬＥＤ素子３２の直下が遮光されていれば、ユーザが第二発光装置３０のＬＥＤ素子３２を直視してしまうことを抑制することができる。
【００７７】
以上説明した、カバー８０は、例えば、ポリカーボネート樹脂の押し出し成形によって形成される。したがって、カバー８０はＹ軸方向に垂直な平面で切断した断面形状が、切断位置によらずほぼ同じ形状となる。なお、カバー８０は、押し出し成形以外の工法で形成されてもよい。また、カバー８０が樹脂材料によって形成されることは必須ではなく、例えば、カバー８０の透光部は、ガラス材料によって形成されてもよい。
【００７８】
［エンドカバー］
エンドカバー９０ａは、本体部４０の長手方向における一方の端部を覆うエンドキャップである。エンドカバー９０ｂは、本体部４０の長手方向における他方の端部を覆うエンドキャップである。エンドカバー９０ａ及びエンドカバー９０ｂは、例えば、ポリブチ連テレフタレート樹脂などの樹脂材料によって形成されるが、金属材料によって形成されていてもよい。エンドカバー９０ａ及びエンドカバー９０ｂを長手方向に平行な方向から見た形状は矩形である。
【００７９】
なお、エンドカバー９０ａ及びエンドカバー９０ｂのそれぞれは、爪部を有し、本体部４０の長手方向の端部に設けられた開口に上記爪部によって係合する。また、エンドカバー９０ａ及びエンドカバー９０ｂのそれぞれは、本体部４０の長手方向の端部にネジ止めされてもよい。
【００８０】
［効果等］
以上説明したように、照明器具１０は、第一発光装置２０と、第二発光装置３０と、第一発光装置２０が載置される第一載置面４１ａを有する第一プレート４１、及び、第二発光装置３０が載置される第二載置面４２ａを有する第二プレート４２を含む本体部４０と、第一発光装置２０に電力を供給する第一電源装置５０と、第二発光装置３０に電力を供給する第二電源装置６０と、本体部４０を壁２００に取り付けるために、本体部４０と壁２００との間に介在する取付部材７０とを備える。取付部材７０は、壁２００と対向する取付面７０ａを有し、第一載置面４１ａ、及び、第二載置面４２ａのそれぞれは、取付面７０ａに対して傾斜している。第一電源装置５０、及び、第二電源装置６０は、第一プレート４１の第一載置面４１ａと反対側の面、及び、第二プレート４２の第二載置面４２ａと反対側の面の間に配置される。壁２００は、構造物の一例である。
【００８１】
これにより、第一電源装置５０及び第二電源装置６０が本体部４０の内側に配置されるため、照明器具１０は、第一電源装置５０及び第二電源装置６０が本体部４０の外側に配置される照明器具よりも容易に小型化が可能である。つまり、小型化が容易な照明器具１０が実現される。また、照明器具１０は、１枚の板材の表面及び裏面の一方に第一発光装置２０が配置され、上記１枚の板材の表面及び裏面の他方に第二発光装置３０が配置される照明装置よりも第一発光装置２０及び第二発光装置３０の放熱性を向上することができる。
【００８２】
また、例えば、第一載置面４１ａは、第一発光装置２０が壁２００と反対側に向けて光を発するように傾斜し、第二載置面４２ａは、第二発光装置３０が壁２００に向けて光を発するように傾斜する。
【００８３】
これにより、照明器具１０は、第一発光装置２０が発する光によって空間を直接的に照明し、第二発光装置３０が発する光によって空間を間接的に照明することができる。
【００８４】
また、例えば、照明器具１０は、さらに、第一発光装置２０が発する光を透過する第一透光部Ｔ１、第二発光装置３０が発する光を透過する第二透光部Ｔ２、及び、遮光部を含むカバー８０を備える。第一透光部Ｔ１の外観上の面積は、第二透光部Ｔ２の外観上の面積よりも大きい。
【００８５】
これにより、第一発光装置２０が発する光により空間の広い範囲を照らし、第二発光装置３０が発する光により狭い範囲を照らすことができる。
【００８６】
また、例えば、カバー８０は、第一発光装置２０と対向し、第一透光部Ｔ１を含む第一平板部８１と、第二発光装置３０と対向し、第二透光部Ｔ２及び遮光部を含む第二平板部８２と、第一平板部８１及び第二平板部８２を接続する、遮光部を含む第三平板部８３とを有する。第二平板部８２に垂直な方向から見た場合に、第二平板部８２に含まれる遮光部は、第二発光装置３０が備えるＬＥＤ素子３２と重なる。ＬＥＤ素子３２は、発光素子の一例である。
【００８７】
これにより、ユーザが第二発光装置３０のＬＥＤ素子３２を直視してしまうことを抑制することができる。
【００８８】
また、例えば、本体部４０は、カバー８０と接触する複数の突起４１ｂ及び突起４２ｂを有する。
【００８９】
これにより、本体部４０及びカバー８０が点接触するため、本体部４０またはカバー８０が熱膨張した場合に本体部４０及びカバー８０の接触により生じる異音が抑制される。
【００９０】
また、例えば、照明器具１０は、長尺状であり、第一プレート４１には、照明器具１０の長手方向に延在する溝部が含まれ、溝部の長手方向の端部には、開口または切り欠き４５が設けられる。
【００９１】
これにより、第一プレート４１とカバー８０との間に虫の死骸などの異物が入り込んだ場合に、照明器具１０を分解せずに本体部４０を傾けることで異物を切り欠き４５を通じて本体部４０の内側に落とすことができる。
【００９２】
また、例えば、照明器具１０は、長尺状であり、さらに、取付部材７０の本体部４０側の面に配置された電球７５を備える。電球７５の光軸は、電球７５が第二プレート４２側に光を出射するように照明器具１０の長手方向に対して傾斜する。
【００９３】
これにより、光軸がＺ軸方向に平行になるように電球７５を配置することができない場合であっても、第二プレート４２側に出射される光量を増やすことができる。つまり、電球７５が発する光の利用効率を高めることができる。
【００９４】
また、例えば、第二プレート４２には、電球７５が出射する光を通す開口４２ｃまたは切り欠きが設けられる。
【００９５】
これにより、照明器具１０の外部に出射される電球７５の光量を増やすことができる。
【００９６】
また、例えば、照明器具１０は、さらに、取付部材７０の本体部４０側の面に配置され、電球７５が出射する光を第二プレート４２側に反射する反射板７６を備える。
【００９７】
これにより、第二プレート４２側に出射される光量を増やすことができる。
【００９８】
（その他の実施の形態）
以上、実施の形態について説明したが、本発明は、このような実施の形態に限定されるものではない。
【００９９】
例えば、上記実施の形態では、照明器具は長尺状であったが、照明器具は、どのような形状であってもよい。また、照明器具の用途についても特に限定されず、照明器具は、例えば、ホテルの客室などに取り付けられてもよい。
【０１００】
また、上記実施の形態では、発光装置は、ＳＭＤ構造の発光装置であったが、ＣＯＢ（Ｃｈｉｐ  Ｏｎ  Ｂｏａｒｄ）構造の発光装置であってもよい。ＣＯＢ構造の発光装置においては、ＬＥＤチップが発光素子として用いられ、基板上にＬＥＤチップが直接実装され、当該ＬＥＤチップが蛍光体粒子を含有する透光性樹脂材によって封止される。また発光装置は、ＬＥＤチップと、当該ＬＥＤチップと離れた位置に配置された蛍光体粒子を含む樹脂部材とを有するリモートフォスファー型の発光装置であってもよい。
【０１０１】
また、発光素子は、ＬＥＤチップまたはＬＥＤチップを用いた素子に限定されない。例えば、半導体レーザまたは有機ＥＬ（Ｅｌｅｃｔｒｏ  Ｌｕｍｉｎｅｓｃｅｎｃｅ）等、ＬＥＤチップ以外の固体発光素子が発光素子として用いられてもよい。
【０１０２】
また、本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１０３】
１０  照明器具
２０  第一発光装置
２１、３１  基板
２２、３２  ＬＥＤ素子（発光素子）
３０  第二発光装置
４０  本体部
４１  第一プレート
４１ａ  第一載置面
４１ｂ、４２ｂ  突起
４２  第二プレート
４２ａ  第二載置面
４２ｃ  開口
４５  切り欠き
５０  第一電源装置
６０  第二電源装置
７０  取付部材
７０ａ  取付面
７５  電球
７６  反射板
８０  カバー
８１  第一平板部
８２  第二平板部
８３  第三平板部
２００  壁（構造物）
【図１】
2019067509.tif 000003
【図２Ａ】
2019067509.tif 000004
【図２Ｂ】
2019067509.tif 000005
【図２Ｃ】
2019067509.tif 000006
【図３】
2019067509.tif 000007
【図４】
2019067509.tif 000008
【図５】
2019067509.tif 000009
【図６】
2019067509.tif 000010
【図７】
2019067509.tif 000011
【図８】
2019067509.tif 000012
【図９】
2019067509.tif 000013
【図１０】
2019067509.tif 000014